(57)【要約】【課題】より精度の高い品質管理を可能とした樹脂成型品の成型良否判定方法を提供する。【解決手段】予め成型された複数の一次成型部品１０，２０同士を、成型型１００内で型締めした状態で前記一次成型部品の接合部１３，２３に設けられた二次樹脂充填路７に二次樹脂４を充填し一体に接合して形成された樹脂成型品１の成型良否を判定する樹脂成型品の成型良否判定方法であって、前記二次充填通路へ前記二次樹脂を注入する注入ゲート３の下流側の端部に設けられた検査対象部３０において、前記二次樹脂の温度及び前記二次樹脂にかかる圧力のうち、少なくともいずれか一方を測定部によって測定し、その測定値が、所定の条件でない場合、前記樹脂成型品を不良品と判定することを特徴とする。【選択図】図１
2020062866.tif 000002
【特許請求の範囲】
【請求項１】
予め成型された複数の一次成型部品同士を、成型型内で型締めした状態で前記一次成型部品の接合部に設けられた二次樹脂充填路に二次樹脂を充填し一体に接合して形成された樹脂成型品の成型良否を判定する樹脂成型品の成型良否判定方法であって、
前記二次樹脂充填路へ前記二次樹脂を注入する注入ゲートの下流側の端部に設けられた検査対象部において、前記二次樹脂の温度及び前記二次樹脂にかかる圧力のうち、少なくともいずれか一方を測定部によって測定し、その測定値が、所定の条件でない場合、前記樹脂成型品を不良品と判定することを特徴とする樹脂成型品の成型良否判定方法。
【請求項２】
請求項１において、
前記測定値は前記二次樹脂の温度であって、前記所定の条件は、測定された最も高い前記温度が所定の温度帯内であることを特徴とする樹脂成型品の成型良否判定方法。
【請求項３】
請求項１において、
前記測定値が圧力であって、所定の圧力条件は、前記二次樹脂を前記二次成型用樹脂通路に充填した後、保圧状態における圧力の低下速度が、所定の管理範囲内であることを特徴とする樹脂成型品の成型良否判定方法。
【請求項４】
請求項１〜請求項３のいずれか１項において、
前記検査対象部は、前記二次樹脂充填路の近傍の前記成型型に設けられ前記二次樹脂充填路に連通されたキャビティに前記二次樹脂が充填されて形成され、前記測定部が、前記キャビティの底部に露出した状態で設けられていることを特徴とする樹脂成型品の成型良否判定方法。
【請求項５】
請求項４において、
前記検査対象部は、記樹脂成型品を前記成型型から取り出した後、除去されることを特徴とする樹脂成型品の成型良否判定方法。
【発明の詳細な説明】
【技術分野】
【０００１】
本発明は、予め成型された複数の一次成型部品同士を、成型型内で型締めした状態で二次成型用の溶融樹脂である二次樹脂を充填し一体に接合して形成された樹脂成型品の成型良否判定方法に関する。
【背景技術】
【０００２】
従来より、樹脂成型品の製造方法としては、例えば予め成型された２つの半管状部品を成型型内に配し、成型型を型締めした状態で、２つの半管状部品の接合部に形成された二次樹脂充填路に二次樹脂を充填し、半管状部品同士を接合して形成されたものが知られている。
このような製造方法の場合、二次樹脂充填路から樹脂成型品の中空部内へ樹脂漏れが発生することがあるが、この場合、完成した樹脂成型品が不良品であっても、外観からはわかりにくいことが問題となる。
そこで、このような中空成型品の成型良否の判定方法としては下記特許文献１が挙げられる。
【先行技術文献】
【特許文献】
【０００３】
【特許文献１】特許第５９８０８４２号公報
【発明の概要】
【発明が解決しようとする課題】
【０００４】
上記特許文献１に記載された成型良否判定方法では、圧力センサを二次成型における二次樹脂の注入ゲートの上流側と、金型の凹部近傍とに配置し、注入ゲートの直前の樹脂圧力と、注入ゲートを通過する直後の樹脂圧力とを検知できるようにしている。
しかし、この場合、最も二次樹脂の温度や圧力が低下すると予想される二次樹脂の下流側の状態が検知できず、二次樹脂充填路の全域に良好な状態で二次樹脂が行き渡っているといえるか判定し難い。
【０００５】
本発明は、上記実情に鑑みてなされたものであり、より精度の高い品質管理を可能とした樹脂成型品の成型良否判定方法を提供することを目的としている。
【課題を解決するための手段】
【０００６】
上記目的を達成するために、本発明に係る樹脂成型品の成型良否判定方法は、予め成型された複数の一次成型部品同士を、成型型内で型締めした状態で前記一次成型部品の接合部に設けられた二次樹脂充填路に二次樹脂を充填し一体に接合して形成された樹脂成型品の成型良否を判定する樹脂成型品の成型良否判定方法であって、前記二次樹脂充填路へ前記二次樹脂を注入する注入ゲートの下流側の端部に設けられた検査対象部において、前記二次樹脂の温度及び前記二次樹脂にかかる圧力のうち、少なくともいずれか一方を測定部によって測定し、その測定値が、所定の条件でない場合、前記樹脂成型品を不良品と判定することを特徴とする。
【発明の効果】
【０００７】
本発明に係る樹脂成型品の成型良否判定方法は、上述の構成としたことで、より精度の高い品質管理を行うことができる。
【図面の簡単な説明】
【０００８】
【図１】本発明の一実施形態に係る樹脂成型品の成型良否判定方法を説明するための説明図であり、樹脂成型品を模式的に示した概略平面図及びブロック図である。
【図２】（ａ）は同樹脂成型品の概略側面図であり、（ｂ）は図１におけるＹ−Ｙ線矢視に対応させた概略断面図である。
【図３】（ａ）は図１におけるＸ−Ｘ線矢視に対応させた概略分解断面図であり、（ｂ）は同樹脂成型品の二次成型の工程を説明するための模式的概略断面図である。
【図４】同樹脂成型品の成型良否判定方法における測定値（二次樹脂の温度）の所定の条件を説明するためのグラフである。
【図５】同樹脂成型品の成型良否判定方法における測定値（二次樹脂にかかる圧力）の所定の条件を説明するためのグラフである。
【発明を実施するための形態】
【０００９】
以下に、本発明の実施の形態について、図面を参照しながら説明する。
なお、一部の図では、他図に付している符号の一部を省略している。
本実施形態における樹脂成型品の成型良否判定方法は、予め成型された複数の一次成型部品１０，２０同士を、成型型内で型締めした状態で一次成型部品１０，２０の接合部１３，２３に設けられた二次成型用樹脂通路となる二次樹脂充填路７に二次成型用の溶融樹脂である二次樹脂４を充填し一体に接合して形成された樹脂成型品１の成型良否を判定することができる。
具体的には、二次樹脂４を注入する注入ゲート３の下流側の端部に設けられた検査対象部３０において、前記二次樹脂４の温度及び前記二次樹脂４にかかる圧力のうち、少なくともいずれか一方を測定部Ｓ１，Ｓ２によって測定し、その測定値が、所定の条件でない場合、樹脂成型品１を不良品と判定する。以下、詳述する。
【００１０】
＜樹脂成型品＞
本実施形態では、成型良否の判定対象となる樹脂成型品１として、管状体をなす樹脂成型品を成型する場合を例に説明する。樹脂成型品１は、一次成型部品であり中空部２（図２（ｂ）参照）を区画する第１半管状部１０と第２半管状部２０とが二次樹脂４によって接合されて形成されている。
【００１１】
樹脂成型品１を構成する第１半管状部１０及び第２半管状部２０並びに二次樹脂４に用いられる合成樹脂しては、例えば、ポリエチレンやポリプロピレン、ＡＢＳ、アクリル、ポリカーボネート、ポリアミド、ポリアセタール、ポリフェニレンサルファイド、ポリエーテルエーテルケトン等の熱可塑性樹脂でもよく、例えば、フェノール樹脂やエポキシ樹脂、ポリウレタン樹脂等の熱硬化性樹脂でもよい。また、合成樹脂としては、種々の添加剤が添加されたものでもよく、また、例えば、炭素繊維やガラス繊維等の強化繊維を含む繊維強化樹脂でもよい。また、樹脂成型品１は、主として合成樹脂製であればよく、上記のようにインサート成形等によって一部に金属製の部材を含んだ構成とされたものでもよい。本実施形態の良否判定方法は、図例の樹脂成型品１のように、中空部２内で樹脂漏れが発生したり、二次樹脂の溶着不良の発生等、完成した製品の外観からは、不良品であることはわかり難い樹脂成型品の成型良否判定方法として用いられる。中でも、第１半管状部１０及び第２半管状部２０を一次成型品としてそれぞれ成形した後に、成型型をスライドもしくは回転させ、上記した二次樹脂充填路７に二次樹脂４を充填して成形する、いわゆるＤＳＩ（ダイスライドインジェクション）成形やＤＰＩ（ダイロータリーインジェクション）成形の二次成型時に好適に用いられる。
【００１２】
図例の樹脂成型品１は、気体や液体等の種々の流体を流通させる管路として配設されるものでもよい。例えば、樹脂成型品１としては、エンジン冷却水管やインテークマニホールド等として自動車等の車両に用いられるものでもよい。また、樹脂成型品１は、このような車両用に限られず、例えば、ガス等の設備機器や、水回り設備機器の配管等として用いられるものでもよい。
【００１３】
樹脂成型品１の中空部２は、流体の流路方向（軸方向）両端において開口しており、図１（ｂ）に示すように、軸方向途中部位において屈曲（湾曲）した形状とされている。すなわち、図例では、樹脂成型品１を、直管（ストレート管）状とされた軸方向中央側部位の両端に、屈曲部を設けた構成とした例を示している。また、樹脂成型品１の軸方向両端の開口を、直管（ストレート管）状部位の軸方向に対して直交し、かつ互いに同方向に向けて開口させた構成とした例を示している。
【００１４】
一次成型品である第１半管状部１０は、直管状とされた第１半管本体部１１と、屈曲した屈曲部１２と、両端部に取付対象に固定されるフランジ部１５，１５とを有し、第１半管本体部１１及び屈曲部１２は略半円筒状とされている。また一次成型品である第２半管状部２０は、直管状とされた第２半管本体部２１と、屈曲した屈曲部２２とを有しており、第２半管本体部２１及び屈曲部２２は略半円筒状とされている。具体的には、図３（ａ）に示すように第１半管状部１０の第１半管本体部１１及び屈曲部１２と、第２半管状部２０の第２半管本体部２１及び屈曲部２２とは、略真円状の円筒を略二等分の半割状に分割されており、これらが接合された状態では、図３（ｂ）に示すように、略円筒形状とされている。また、上記のように両端側が屈曲された樹脂成型品１の屈曲部の入隅側部位を構成するように第１半管状部１０の屈曲部１２が設けられ、樹脂成型品１の屈曲部の出隅側部位を構成するように第２半管状部２０の屈曲部２２が設けられている。
【００１５】
また、図３（ａ）及び図３（ｂ）に示すように、これら第１半管状部１０及び第２半管状部２０の周方向両縁部には、互いに向き合う方向に開口し、溝長手方向に見て略方形状の二次樹脂充填路７を区画する接合部１３，１３，２３，２３が軸方向に延びるようにかつ径方向に突出するように設けられている。これら接合部１３，１３は、第１半管本体部１１及び屈曲部１２の軸方向の全長に亘って、接合部２３，２３は、第２半管本体部２１及び屈曲部２２の軸方向の全長に亘って設けられている。また、図３（ｂ）に示すようにこれら接合部１３，１３，２３，２３が突き合わせられて形成される二次樹脂充填路７，７に、二次樹脂４が充填されて樹脂成型品１の周方向両側が接合される。
また、第１半管状部１０及び第２半管状部２０の周方向の縁部を構成する内側溝壁には、互いに係合して位置ずれや二次樹脂４の中空部２内への漏れを抑制する係合溝１０ａ及び係合突部２０ａが設けられている。係合溝１０ａは、第２半管状部２０の周方向の縁部に向けて開口し軸方向に延びるように形成され、係合突部２０ａは、第１半管状部１０の周方向の縁部に向けて突出し軸方向に延びるように形成されている。
【００１６】
第１半管状部１０の軸方向両端部のフランジ部１５，１５は、樹脂成型品１の軸方向両端の開口を区画し、これら両端の開口方向に厚さ方向を沿わせた板状とされている。図例では、これらフランジ部１５，１５の厚さ方向両面となる取付対象側に向く取付対象側面及び反取付対象側に向く反取付対象側面を互いに略同一平面状とした例を示している（図２（ａ）参照）。
フランジ部１５は、図１及び図２（ａ），（ｂ）に示すように、径方向に突出する鍔状とされている。図例では、このフランジ部１５を、厚さ方向に見て楕円形状とした例を示しているが、真円状や多角形状等としてもよい。また、このフランジ部１５の厚さ寸法は、互いに同厚さとされた第１半管本体部１１，第２半管本体部２１及び屈曲部１２，２２の厚さ寸法よりも大とされている。
【００１７】
図２（ｂ）示すように、フランジ部１５には、二次樹脂充填路７に二次樹脂４を充填するための第２の二次樹脂充填路１９を設けた構成としており、第２の二次樹脂充填路１９を、フランジ部１５の反取付対象側面において開口する溝状とした例を示している。なお、図例では、第２の二次樹脂充填路１９を、溝長手方向に見て方形溝状とした例を示しているが、台形溝状としたり、Ｕ字溝状としたりしてもよい。
【００１８】
第１半管状部１０と第２半管状部２０と接合するための二次樹脂４は、図３（ｂ）に示すように、第１成型型１０１と第２成型型１０２で構成された成型型１００内に、予め成型された第１半管状部１０及び第２半管状部２０を配し、成型型１００を型締めした状態で、樹脂供給路となる注入ゲート３（図１、図２（ｂ）参照）を介して二次樹脂充填路７に充填される。
注入ゲート３，３は、第１半管状部１０及び第２半管状部２０の長手方向における両端部１ａ，１ａ（図１参照：図例ではフランジ部１５の縁部）に設けられているが、注入ゲート３の設置位置は特に図例に限定されない。例えば第１半管状部１０及び第２半管状部２０の長手方向における両端部１ａ，１ａのいずれか一方でもよいし、第１半管状部１０及び第２半管状部２０の長手方向における中央位置であってもよい。また図例では注入ゲート３が２ヵ所設けられた例を示しているが、２ヵ所以上でもよく、樹脂成型品１の大きさ、形状等によって適宜設定される。
注入ゲート３，３を図１に示すように第１半管状部１０及び第２半管状部２０の長手方向両端部１ａ，１ａに設けた場合、これら注入ゲート３，３から二次樹脂４を注入し充填すれば、注入ゲート３と接続された第２の二次樹脂充填路１９を通じ二次樹脂充填路７の全域に二次樹脂４を行き渡らせることができ、効率がよい。
【００１９】
注入ゲート３から注入される二次樹脂４の樹脂流れ方向（図１における白抜矢印方向）の下流側の端部には、検査対象部３０が設けられている。本実施形態の検査対象部３０は、両端部１ａ，１ａから充填される二次樹脂４が合流する位置、すなわち、第１半管状部１０及び第２半管状部２０の長手方向における中央位置に設けられる。検査対象部３０は、接合部１３，２３から第１半管状部１０及び第２半管状部２０の長手方向中央位置の幅方向に突出した連結部３１を介して繋がっている。図３（ｂ）に示すように第１成型型１０１には、検査対象部３０を形成するキャビティ１０３と、連結部３１を形成するキャビティ１０４とを備えている。よって、両端部１ａ，１ａから注入ゲート３を介して注入された二次樹脂４は、二次樹脂充填路７を通じ、二次樹脂充填路７の近傍にある第１成型型１０１に設けられた連結部３１を形成するキャビティ１０４に流れ込んだ後、検査対象部３０を形成するキャビティ１０３に辿りつき、二次樹脂４は、キャビティ１０３，１０４内に充填される。そしてこのときの検査対象部３０を形成するキャビティ１０３に充填される二次樹脂４の温度、圧力を測定部Ｓ１，Ｓ２で測定するように構成されている。
【００２０】
検査対象部３０と連結部３１とは、図１及び図２（ａ）で点線で示しているように、樹脂成型品１が完成したときには、不要な部位であるので、成型型１００から取り出した後、除去されるものとしてもよい。よって、その場合は、連結部３１はカットし易いように図１に示すように細長の棒状に形成されることが望ましい。また図３（ｂ）に示すように検査対象部３０を形成するキャビティ１０３の底部１０３ａには、露出した状態で測定部Ｓ１（Ｓ２）が設けられている。この検査対象部３０に設けられる測定部Ｓ１，Ｓ２としては、温度センサや圧力センサ等が採用され、図１に示すように測定部Ｓ１，Ｓ２は、ＣＰＵ３２ａや判定部３２ｂ等を備えた制御装置３２と接続されている。また図例の制御装置３２には、測定部Ｓ１，Ｓ２で測定された測定値をグラフ化するなど、表示する表示部を備えたモニター３３が接続されている。ＣＰＵ３２ａは、測定部Ｓ１，Ｓ２での測定情報や判定部３２ｂを制御する共通制御ブロックである。判定部３２ｂは、測定部Ｓ１，Ｓ２の測定値に基づいて、所定の条件でない場合、樹脂成型品１を不良品（異常）と判定を行う。
【００２１】
図例のように成型型１００の接合に影響の少ない位置に測定部Ｓ１，Ｓ２が設けられているので、充填される二次樹脂４の状態を正確に測定することができ、精度の高い樹脂成型品１の成型良否判定を行うことができる。具体的な成型良否の判定方法についても後述する。
なお、図１及び図２（ａ）では説明のため、離型後の検査対象部３０に測定部Ｓ１，Ｓ２が設けられているように示しているが、実際は成型型１００内等に測定部Ｓ１，Ｓ２が設けられるので、離型後の樹脂成型品１の一部として測定部Ｓ１，Ｓ２が残存するものではない。また測定部Ｓ１，Ｓ２の測定情報等を表示するモニター３３にかえて、判定部３２ｂで不良品発生と判定した場合、ランプを点灯させたり、警報音を鳴動させるような警報部であってもよい。
【００２２】
測定部Ｓ１，Ｓ２は同種センサを複数設けて、測定値の精度向上を図ってもよいし、異種類のセンサを複数設けて、複合的に監視し成型良否の判定を行うようにしてもよい。もちろん、いずれかのセンサを単体で設けても良く、例えば温度センサのみ、圧力センサのみとしてもよい。温度センサとしては、例えば各種金属からなる測温抵抗体やリニア抵抗器、サーミスタ等を採用してもよい。圧力センサとしては、例えばダイヤフラムを介して圧力を感圧素子で計測するものとしてもよい。
【００２３】
＜樹脂成型品の成型良否判定方法＞
次に上述のような樹脂成型品１において、二次成型の製造過程の中に樹脂成型品の成型良否を判定する判定方法について説明する。
予め成型された第１半管状部１０及び第２半管状部２０同士を、第１成型型１０１及び第２成型型１０２のそれぞれに配置し、型締めした状態で第１半管状部１０及び第２半管状部２０の接合部１３，２３に設けられた二次樹脂充填路７に二次樹脂４を充填し一体に接合する。この二次樹脂４の充填開始に伴い、モニター３３を通じて二次樹脂４の温度及び二次樹脂４にかかる圧力のうち、少なくともいずれか一方を測定部Ｓ１，Ｓ２によって測定する。そして、測定部Ｓ１，Ｓ２で測定された測定値が、所定の条件であるか否かを判定部３２ｂで判定し、樹脂成型品１を成型良否判定する。測定部Ｓ１，Ｓ２では、温度のみを測定してもよいし、圧力のみを測定してもよく、さらには温度と圧力の両方を測定して両方の測定値から成型良否の判定を行うようにしてもよい。
【００２４】
以上によれば、最も二次樹脂４の温度や二次樹脂４にかかる圧力が低下すると予想される注入ゲート３の下流側端部の状態を検査対象部で検知できるので、二次樹脂充填路７の全域に良好な状態で二次樹脂４が行き渡っているといえるか否かを判定することができる。二次樹脂４が行き渡りにくい下流側で異常がみつかれば、例えば、樹脂成型品１の中空部２内に樹脂漏れ等の異常が発生している可能性が高いといえる。この異常の可能性を測定部Ｓ１，Ｓ２での測定値に基づいて定量的に判定できるので、目視検査等に比べてより精度の高い品質管理が可能となる。また検査対象部３０での測定値をモニター３３等で監視すればよいので、成型良否の判定が容易である。さらに二次成型工程の中で不良品の判定ができるので、樹脂成型品１を離型した後、別途検査工程を設ける必要がない。
【００２５】
以下では、測定部Ｓ１，Ｓ２で測定する対象を温度とした場合、圧力とした場合のそれぞれの所定条件について説明する。
＜温度＞
検査対象部３０の測定部Ｓ１，Ｓ２において、二次樹脂４の温度を測定する場合、所定の条件としては、測定された最も高い温度が所定の温度帯内と判定部３２ｂが判断した場合、良品と判定し、測定された最も高い温度が所定の温度帯外と判定部３２ｂが判断した場合、不良品と判定する。図４には、３パターンの二次樹脂４の温度変化をグラフにしたものである。正常時の温度変化を実線、異常時の温度変化を点線及び一点鎖線で示している。
所定の管理温度帯の具体的な数値は、二次樹脂４の材料特性によって異なり、二次樹脂４の温度帯が管理温度帯内であれば、二次樹脂４の溶着性に問題がないと判断できる温度帯が設定される。この温度設定は制御装置３２で行う。
【００２６】
以上によれば、二次樹脂４の溶着界面での溶着性を定量的に判定でき、注入ゲート３の下流側端部で測定された二次樹脂４の最も高い温度が所定の温度帯内でない場合、溶着性（接合性）に問題が生じている可能性があると判定することができる。例えば図４に示すように測定部Ｓ１，Ｓ２での測定値が所定の温度帯より高い場合（点線参照）、樹脂そのものが熱分解され劣化し、所望の性能が得られないと判定できる。また図４に示すように測定部Ｓ１，Ｓ２での測定値が所定の温度帯より低い場合（一点鎖線参照）、溶着品質に問題が生じ、所望の性能が得られないと判定できる。
【００２７】
＜圧力＞
検査対象部３０の測定部Ｓ１，Ｓ２において、二次樹脂４の圧力を測定する場合、所定の条件としては、二次樹脂４を二次樹脂充填路７に充填した後、保圧状態における圧力の低下速度が、所定の管理範囲内と判定部３２ｂが判断した場合、良品と判定し、二次樹脂４を二次樹脂充填路７に充填した後、保圧状態における圧力の低下速度が、所定の管理範囲外と判定部３２ｂが判断した場合、不良品と判定する。図５には、正常時と異常時の２パターンの二次樹脂４の圧力変化をグラフにしたものである。正常時の圧力変化を実線、異常時の圧力変化を点線で示している。
【００２８】
所定の管理範囲は、所定時間と所定の管理値（圧力値）とで設定され、図５に示すように所定時間の間に所定の管理値に圧力の測定値が一旦圧力値が上昇した後に急激に低下しないかを判定する。
所定時間と所定の管理値（圧力）の具体的な数値は、二次樹脂４の材料特性によって異なるため、上述の条件に限定されるものではない。
図５では、注入ゲート３から収入された二次樹脂４が、二次樹脂充填路７、連結部３１を通じて検査対象部３０に行き渡る射出工程の後、保圧工程に入ってから所定時間の間に一旦上昇した圧力値が急激に低下しないかで判定する例を示している。ここに示すように正常時の場合は、射出工程を経て、保圧工程に入った後、急激に低下することはなく、保圧工程後、緩やかに低下していく。一方、異常時の場合は、射出工程を経て、保圧工程に入った後、急激に低下している。正常に二次樹脂４が二次樹脂充填路７に充填され、保圧されれば、このような圧力の急激な低下は生じ得ない。
【００２９】
以上によれば、二次樹脂４にかかる圧力から樹脂漏れを定量的に判定でき、注入ゲート３の下流側端部で測定された二次樹脂にかかる圧力が、所定の管理範囲内でない場合、樹脂漏れ等が生じている可能性があると判定することができる。
【００３０】
なお、本実施形態における樹脂成型品１の全体形状、構成は、図例に限定されるものではない。よって、第１半管状部１０及び第２半管状部２０の形状、構成、二次樹脂充填路７，第２の二次樹脂充填路１９の形状、構成等も図例に限定されるものではない。例えば第１半管状部１０の両端部にフランジ部１５，１５を設けた例を示しているが、いずれか一端部にのみフランジ部１５を設けたものであってもよいし、フランジ部１５に、取付対象に締結されるボルト等の締結具の挿通孔を設けた構成としてもよい。この場合は、フランジ部１５に、適宜、インサート成形等によって埋込状に金属製の円筒状部材（カラー）を設けた構成としてもよい。
【符号の説明】
【００３１】
１                    樹脂成型品
２                    中空部
４                    二次樹脂
７                    二次樹脂充填路
１０                  第１半管状部
２０                  第２半管状部
１３，２３            接合部
１５                  フランジ部
１９                  第２の二次樹脂充填通路
【図１】
2020062866.tif 000003
【図２】
2020062866.tif 000004
【図３】
2020062866.tif 000005
【図４】
2020062866.tif 000006
【図５】
2020062866.tif 000007